(57)【要約】【課題】梱包作業性に優れ低コスト化を可能とした電子機器用包装体を提供する。【解決手段】収容袋に収容された電子機器４を段ボール箱等の箱体５に収容した電子機器用包装体１であって、収容袋は、その開口部側が紐７で締められることにより蛇腹状に形成された巾着袋３であって、クッション性を有するシートで形成されている。収容袋としての巾着袋３が緩衝材として兼用できることから、搬送時等に箱体５の外側から衝撃が加えられたとしても、電子機器４に対する衝撃を緩和することができ、さらに、専ら緩衝用として用いらえる緩衝部材が不要となるので、梱包作業性に優れると共にコストを安価に抑えることができる。【選択図】図１
2014172622.tif 000002
【特許請求の範囲】
【請求項１】
収容袋に収容された電子機器を段ボール箱等の箱体に収容した電子機器用包装体であって、
前記収容袋は、その開口部側が紐で締められることにより蛇腹状に形成された巾着袋であって、複数のシートを積層して成形したものであり、該複数のシートのうち少なくとも１枚のシートを、クッション性を有するシートとしたことを特徴とする電子機器用包装体。
【請求項２】
前記複数のシートは、クッション性を有する不織布シートと、ポリエチレンシート又はポリプロピレンシートであることを特徴とする請求項１に記載の電子機器用包装体。
【請求項３】
前記クッション性を有する不織布シートは、パルプ不織布シート又はポリエステル不織布シートであることを特徴とする請求項２に記載の電子機器用包装体。
【請求項４】
前記電子機器を前記巾着袋に収容して段ボール箱等の箱体内に収容したとき、該箱体内には、専ら緩衝用として緩衝部材を収容せずに、前記電子機器を収容することを目的とした巾着袋を緩衝材として兼用させたことを特徴とする請求項１〜３の何れか１項に記載の電子機器用包装体。
【発明の詳細な説明】
【技術分野】
【０００１】
本発明は、巾着袋に入れられた電子機器を段ボール箱に収容した電子機器用包装体に関する。
【背景技術】
【０００２】
従来より、電子機器や装飾品などの物品を包装するに際しては、一般的に物品自体をポリエチレン製などの透明や半透明な袋、所謂ビニール袋で密封して内装としている。こうした袋は、単に、防汚染性のみを目的としているため、帯電防止性、クッション性、ハンドリング性、耐久性が考慮されてはなく、物品を持ち運ぶときのバックとして使用することは、耐久性や装飾性の観点から実質使用されることはほとんどなく、物品が袋から取り出された後には、廃棄されることが実情となっている。
【０００３】
ところで、前述したごく一般的に利用されているビニール袋は、全体が薄いシートのみで形成されており、ビニール袋自体には緩衝機能を有していないことから、例えば、ビニール袋に入れられた電子機器を段ボール箱に収容して搬送するとき、段ボール箱の外側から衝撃が加えられると、その内部に収容された電子機器が傷付いたり故障したりする虞があり、こうした問題を解決するため、例えば特許文献１には、電子機器を輸送等するときに梱包する梱包箱において、当該梱包箱は、電子機器を包装する袋部材、緩衝部材、外箱からなり、電子機器を袋部材で包装して外箱に入れ、袋部材と外箱との間隙に袋部材とは別体の緩衝部材を介在させたものが開示されている。
【先行技術文献】
【特許文献】
【０００４】
【特許文献１】特開２００８−２４７４３３号公報
【特許文献２】特開２０１０−１８２８２号公報
【発明の概要】
【発明が解決しようとする課題】
【０００５】
しかし、特許文献１では、外箱に入れられた電子機器に対する衝撃を防止するため、梱包を行うに際し、袋部材と外箱との間隙に緩衝部材を介在させるといった煩わしい作業を必要とする。また、専ら搬送時のみに必要とする衝撃部材は、目的地へ搬送され、外箱から電子機器が取り出された後には、再利用性が乏しいことから、ゴミとして処分されるという実情があり環境にやさしいとはいえない。また、特許文献２では、合成樹脂製気泡シートからなる包装用袋において、狭い範囲で点として外力が加わった場合における緩衝効果を向上させるため、開口部をファスナーで気密的に閉鎖するとしており、その結果、包装用袋自体が空気層により相当嵩張るため、当該包装用袋を段ボール箱に収納する場合汎用性に乏しく、特にスマートフォンのような小型電子機器を包装用袋に収納する場合には、包装容積が大きくなり包装材料を多く使用することになる。
【０００６】
本発明は、上記課題に鑑みてなされたものであり、箱体内で電子機器を収容した収容袋を緩衝材として兼用することで、梱包作業性に優れ低コスト化を可能とした電子機器用包装体を提供することを目的とする。
【課題を解決するための手段】
【０００７】
本電子機器用包装体の発明は、
収容袋に収容された電子機器を段ボール箱等の箱体に収容した電子機器用包装体であって、
前記収容袋は、その開口部側が紐で締められることにより蛇腹状に形成された巾着袋であって、複数のシートを積層して成形したものであり、該複数のシートのうち少なくとも１枚のシートを、クッション性を有するシートとしたことを特徴とする。
【０００８】
さらに、本電子機器用包装体の発明は、
前記複数のシートは、クッション性を有する不織布シートと、ポリエチレンシート又はポリプロピレンシートであることを特徴とする。
【０００９】
さらに、本電子機器用包装体の発明は、
前記クッション性を有する不織布シートは、パルプ不織布シート又はポリエステル不織布シートであることを特徴とする。
【００１０】
さらに、本電子機器用包装体の発明は、
前記電子機器を前記巾着袋に収容して段ボール箱等の箱体内に収容したとき、該箱体内には、専ら緩衝用として緩衝部材を収容せずに、前記電子機器を収容することを目的とした巾着袋を緩衝材として兼用させたことを特徴とする。
【発明の効果】
【００１１】
本発明によれば、電子機器を収容した収容袋としての巾着袋がクッション性を有することから、電子機器用包装体の搬送時等に箱体の外側から衝撃が加えられたとしても、電子機器に対する衝撃を緩和することができ、さらには、専ら緩衝用として用いらえる緩衝部材を箱体内に収容せずに、巾着袋を緩衝材として兼用されるので、梱包作業性に優れ、コストを安価に抑えることができる。
【００１２】
さらに、収容袋は巾着袋であることから開口部側が蛇腹状に形成されている。よって、山折り部と谷折り部からなる蛇腹状の部分により、箱体内の巾着袋に収納した電子機器が、電子機器用包装体の搬送時等にむやみに動いたりすることを抑制することが可能となる。
【００１３】
さらに、巾着袋は、シートそのもののクッション性と、蛇腹状に形成したことによるクッション性とが相俟って、より効果的に電子機器に対する衝撃を緩和することができる。
【図面の簡単な説明】
【００１４】
【図１】本発明の一例の電子機器用包装体を示す斜視図である。
【図２】電子機器用包装体に構成される巾着袋を示す斜視図であり、（ａ）は巾着袋の紐挿通孔部に紐を通した状態を示し、（ｂ）は巾着袋内に電子機器を入れて、紐挿通孔部に通した紐を結んだ状態を示している。
【図３】電子機器用包装体に構成される巾着袋を示す断面図である。
【図４】電子機器用包装体に構成される巾着袋の変形例を示す斜視図である。
【発明を実施するための形態】
【００１５】
以下、本発明の実施形態を図１〜図４により以下に説明する。もちろん、本発明は、その発明の趣旨に反しない範囲で、実施形態において説明した以外の構成のものに対しても容易に適用可能なことは説明を要するまでもない。
【００１６】
本発明の一例の電子機器用包装体１は、図１に示すように、一方に開口部２を有する収容袋たる巾着袋３と、該巾着袋３に収容されたタブレット型情報端末やスマートフォンなどの電子機器４と、該電子機器４を収容した巾着袋３をさらに収容した段ボール箱等の箱体５とから構成され、前記巾着袋３は、前面と後面とからなる２面のシートのうち、その両側部と底部の縁部が貼着されている。
【００１７】
巾着袋３の開口部２側の周方向には、図２（ａ）に示すように、断続的に複数の紐挿通孔部６が形成されており、これらの紐挿孔部６に対して、巾着袋３の内側から外側へ、外側から内側へと連続して紐７が挿通されている。そして、図２（ｂ）に示すように、当該紐７の両端が結ばれて締めつけられることにより、開口部２側は蛇腹状となり開口部２は閉塞される。
【００１８】
また、巾着袋３の前面には、矩形の窓部８が形成されており、当該窓部８には透明シート９が設けられており、巾着袋３の中身を視認できるようになっている。
【００１９】
巾着袋３自体は、図３に示すように、複数のシート１０ａ，１０ｂを積層して一体成形したものであり、電子機器４に臨む内側シート１０ａは透明なポリエチレンシートとなっており、箱体５に臨む外側シート１０ｂは、クッション性を有するポリエステル不織布シートとなっている。
【００２０】
以上のように、本実施形態の電子機器用包装体１によれば、収容袋に収容された電子機器４を外箱としての箱体５に収容した電子機器用包装体１であって、収容袋は、その開口部２側が紐で締められることにより蛇腹状に形成された巾着袋３であって、複数のシート１０ａ，１０ｂを積層して成形したものであり、該複数のシート１０ａ，１０ｂのうち少なくとも１枚のシート１０ａを、クッション性を有するシートとしている。そして、図１に示すように、電子機器４を巾着袋３に収容して箱体５内に収容したときには、従来とは異なり、箱体５内には、専ら緩衝用として緩衝部材を収容することなく、電子機器４を収容することを目的とした巾着袋３を緩衝材として兼用したものである。これにより、電子機器用包装体１の搬送時等に箱体５の外側から衝撃が加えられたとしても、電子機器４に対する衝撃を緩和することができ、しかも、専ら緩衝用として用いらえる緩衝部材を箱体内に収容せずに、収容袋３を緩衝材として兼用されるので、梱包作業性に優れ、コストを安価に抑えることができる。
【００２１】
さらに、収容袋は巾着袋３であることから、当該巾着袋３に対して、下記表１に示すような、タブレット端末（タブレット型情報端末）やスマートフォンなどの薄型直方体形状の電子機器４の収納に好適であり、巾着袋３の紐挿通孔部６に挿通された紐７をつかんで持ち上げるなどして、段ボール箱等の箱体５から巾着袋３と共に電子機器４を容易に出し入れできる。このことは、電子機器４の包装寸法を小さくし、その容積を少なくできることにつながり、ひいては、包装材料の使用を少なくし環境にやさしい包装構造である。なお、表１では、Ａ〜Ｅのタブレット端末（タブレット型情報端末）やスマートフォンの外形寸法を、「縦」、「横」、「厚さ」で表しており、これらの寸法に括弧書きの数値を加算したものが巾着袋３の内寸法である。
【００２２】
【表１】
2014172622.tif 000003
【００２３】
さらに、収容袋は巾着袋３であることから開口部２側が蛇腹状に形成されている。よって、山折り部と谷折り部からなる蛇腹状の部分により、箱体５内の巾着袋３に収容した電子機器５が、搬送時等にむやみに動いたりすることを抑制することが可能となる。
【００２４】
さらに、巾着袋３は、シートそのもののクッション性と、蛇腹状に形成したことによるクッション性とが相俟って、より効果的に電子機器４に対する衝撃を緩和することができる。
【００２５】
以上、本実施形態の一例を詳述したが、本発明は、前記実施形態に限定されるものではなく、本発明の要旨の範囲内で種々の変形実施が可能である。例えば、クッション性を有する外側シート１０ｂとしての不織布シートとしては、ポリエステル不織布シートに限らずパルプ不織布シートであってもよく、また、内側シート１０ａはポリエチレンシート代えてポリプロピレンシートとしてもよい。また、巾着袋３の強度を向上するため、これらのシートの複数を積層するようにしてもよい。
【００２６】
また、巾着袋３としては、図４に示すように、開口部２を複数形成し、蛇腹状に形成される部分が複数形成されるようにしてもよい。
【００２７】
また、電子機器４を収納した巾着袋３を箱体５に収容した状態において、箱体５の内径よりも巾着袋３の長さを長くして、これらが相互に押圧するように接触させてもよい。その場合には、巾着袋３に収容された電子機器４が箱体５内で位置ずれしないよう効果的に保持させることが可能となる。
【符号の説明】
【００２８】
１  電子機器用包装体
２  開口部
３  巾着袋（収容袋）
４  電子機器
５  箱体
７  紐
８  窓部
９  透明シート
１０ａ  内側シート
１０ｂ  外側シート
【図１】
2014172622.tif 000004
【図２】
2014172622.tif 000005
【図３】
2014172622.tif 000006
【図４】
2014172622.tif 000007